(57)【特許請求の範囲】
【請求項１】
袋体に感温性発色剤を含有させた蓄熱材を充填した可撓性を有する保温具と、該保温具を湯に浸漬することによって昇温させるために使用される湯を収容する昇温用容器とからなる保温具キットであって、昇温用容器に、保温具の昇温させる温度に対応した湯量を示す表示を設けてなることを特徴とする保温具キット。
【請求項２】
前記保温具の昇温させる温度に対応した湯量を示す表示を、使用する湯の温度別に設けてなることを特徴とする請求項１記載の保温具キット。
【請求項３】
前記感温性発色剤に、異なる温度で異なる色に発色する２種類以上の感温性発色剤を併せて用いたことを特徴とする請求項１又は２記載の保温具キット。
【発明の詳細な説明】
【技術分野】
【０００１】
本発明は、保温具キットに関し、特に、保温具を安全に使用することができるとともに、保温具の昇温温度を的確に把握することができるようにした保温具キットに関するものである。
【背景技術】
【０００２】
従来、コンセントを使用しないで暖をとるための保温具として湯たんぽ等の各種保温具が利用されている。
このような保温具うち、簡易に使用できるものとして、袋体に蓄熱材を充填した可撓性を有する保温具を、電子レンジによって加熱して使用するものが提案され、実用化されている（例えば、特許文献１参照）。
【先行技術文献】
【特許文献】
【０００３】
【特許文献１】実開平０８−０１９５６４号公報
【発明の概要】
【発明が解決しようとする課題】
【０００４】
ところで、上記電子レンジによって加熱して使用する保温具は、加熱し過ぎると、袋体が破裂して内部の蓄熱材が飛散する場合があり、特に、袋体に脆弱な箇所がある場合には、通常の使用であっても、その袋体が脆弱な箇所から破裂しやすくなるという問題があった。
また、電子レンジによって加熱して使用する保温具は、保温具の昇温温度を的確に把握しにくく、使用中に低温やけどを起こすことがあるという問題があった。
なお、この問題は、保温具として古くから用いられている湯たんぽにおいても、共通する問題であった。
【０００５】
本発明は、上記従来の保温具の有する問題点に鑑み、保温具を安全に使用することができるとともに、保温具の昇温温度を的確に把握することができる保温具キットを提供することを目的とする。
【課題を解決するための手段】
【０００６】
上記目的を達成するため、本発明の保温具キットは、袋体に感温性発色剤を含有させた蓄熱材を充填した可撓性を有する保温具と、該保温具を湯に浸漬することによって昇温させるために使用される湯を収容する昇温用容器とからなる保温具キットであって、昇温用容器に、保温具の昇温させる温度に対応した湯量を示す表示を設けてなることを特徴とする。
【０００７】
この場合において、前記保温具の昇温させる温度に対応した湯量を示す表示を、使用する湯の温度別に設けることができる。
【０００８】
また、この場合において、前記感温性発色剤に、異なる温度で異なる色に発色する２種類以上の感温性発色剤を併せて用いることができる。
【発明の効果】
【０００９】
本発明の保温具キットによれば、袋体に蓄熱材を充填した可撓性を有する保温具と、該保温具を湯に浸漬することによって昇温させるために使用される湯を収容する昇温用容器とからなる保温具キットであって、昇温用容器に、保温具の昇温させる温度に対応した湯量を示す表示を設けることにより、保温具を昇温させるために必要な熱量分に相当する量の湯に保温具を浸漬させ、所定時間の経過を待つだけで、保温具は所望の使用温度まで昇温され、昇温された後に昇温用容器から保温具を取り出して使用することができる。
この際、保温具は、急激に加熱されることなく、徐々に昇温するため、袋体が破裂して内部の蓄熱材が飛散することがなく、安全に使用することができる。
また、保温具を昇温させるために必要な熱量分に相当する量の湯に保温具を浸漬させることにより、保温具の昇温温度を的確に把握することができ、保温具の安全性を向上することができる。
【００１０】
そして、蓄熱材に感温性発色剤を含有させることにより、蓄熱材に含有させた感温性発色剤の発色によって、保温具に充填した蓄熱材自体の温度を容易に目視で確認することができ、保温具の昇温温度を的確に把握することができ、保温具の安全性を向上することができる。
【００１１】
また、前記保温具の昇温させる温度に対応した湯量を示す表示を、使用する湯の温度別に設けることにより、保温具を昇温させるために使用する湯に、任意の温度の湯を使用することができる。
【００１２】
また、前記感温性発色剤に、異なる温度で異なる色に発色する２種類以上の感温性発色剤を併せて用いることにより、蓄熱材に含有させた感温性発色剤の発色によって、保温具に充填した蓄熱材自体の温度を複数段階で容易に目視で確認することができ、保温具の昇温温度を一層的確に把握することができる。
【図面の簡単な説明】
【００１３】
【図１】本発明の保温具キットの一実施例の保温具を示し、（ａ）は斜視図、（ｂ）は（ａ）のＸ−Ｘ断面図である。
【図２】同保温具キットの昇温用容器を示す斜視図である。
【図３】同保温具キットの使用方法の説明図で、（ａ）は昇温前の保温具及び昇温用容器の斜視図、（ｂ）は先に保温具が入れられた昇温用容器に湯を収容した状態を示す斜視図である。
【図４】本発明の保温具の実施例を示し、（ａ）は斜視図、（ｂ）は（ａ）のＹ−Ｙ断面図である。
【発明を実施するための形態】
【００１４】
以下、本発明の保温具キットの実施の形態を、図面に基づいて説明する。
【００１５】
図１〜図３に、本発明の保温具キットの一実施例を示す。
この保温具キット１は、袋体２に蓄熱材３を充填した可撓性を有する保温具１０と、この保温具１０を湯に浸漬することによって昇温させるために使用される湯を収容する昇温用容器４とからなり、昇温用容器４に、保温具１０の昇温させる温度に対応した湯量を示す表示５を設けるようにしている。
【００１６】
保温具１０は、可撓性、例えば、ポリ塩化ビニル等の合成樹脂製の袋体２に蓄熱材３を充填し、密封して構成するようにしている。
【００１７】
また、袋体２は、図１に示すように、蓄熱材３を充填した内部を複数に区分するように袋体２を適所で溶着し、昇温用容器４に浸漬するときに、容易に折り畳むことができるようにしている。
これによって、昇温用容器４を小型化することができる。
【００１８】
蓄熱材３には、従来公知の顕熱蓄熱材や潜熱蓄熱材を適宜使用できるが、例えば、水、水吸収ゲル化剤及び氷点降下剤等からなる含水ゲルを好適に用いることができる。
【００１９】
昇温用容器４は、保温具１０を湯に浸漬することができる器であれば、特に限定されず、上面を開口した有底の円筒形状、角筒形状等の筒形状の容器を用いることができる。
なお、昇温用容器４は、使用性、収納性及び携帯性を考慮して、ポリ塩化ビニル等の合成樹脂製の透明又は半透明の折り畳み可能な容器を好適に用いることができるが、剛性を有する容器を用いることもできる。
【００２０】
また、昇温用容器４には、保温具１０の昇温させる温度、特に限定されるものではないが、例えば、図２に示すように、４０℃、４５℃、５０℃に昇温するために必要な湯量に対応した湯量を示す表示５を設けるようにしているが、この表示５は、保温具１０に充填する蓄熱材３を使用する温度に昇温するために必要な熱量から算出した湯量を表示するようにする。
より具体的には、室内温度：Ｔ０［℃］（通常、１０〜１５℃で計算する。）、保温具１０の昇温させる温度：Ｔ１［℃］、保温具１０に充填された蓄熱材３の質量：Ｍ［ｇ］、比熱Ｃ［ｃａｌ／ｇ］、使用する湯の温度：Ｔ２［℃］とした場合の湯量：Ｑ［ｍｌ］は、
Ｑ＝Ｍ・Ｃ・（Ｔ１−Ｔ０）／（Ｔ２−Ｔ１）
で算出することができる。
なお、湯量の算出に当たっては、保温具１０を昇温させる間の放熱量を考慮に入れることが好ましい。
【００２１】
また、前記保温具１０の昇温させる温度に対応した湯量を示す表示５は、使用する湯の温度別に設けることができる。
具体的には、図２に示すように、例えば、保温具１０を４０℃、４５℃、５０℃に昇温するために必要な湯量の表示として、１００℃の湯を使用する場合の湯量の表示５Ａのほか、９０℃の湯及び８０℃の湯を使用する場合の湯量の表示５Ｂ、５Ｃを設けることにより、湯沸かし器や電気ポット等の所定の温度の湯を使用する場合に対応できるようにする。
これにより、保温具１０を昇温させるために使用する湯に、任意の温度の湯を使用することができる。
【００２２】
また、昇温用容器４に先に保温具１０を収容した状態で湯を入れる場合と、湯を入れた後に保温具１０を収容する場合とで表示５の位置が異なるため、図２に示すように、保温具１０を収容した状態で湯を入れる場合の表示（図２において、長さの短い表示）と湯を入れた後に保温具１０を収容する場合の表示（図２において、長さの長い表示）を併せて設けるようにすることが好ましい。
【００２３】
次に、この保温具キット１を用いて、保温具１０を昇温する手順を説明する。
【００２４】
まず、昇温用容器４に収容する湯と保温具１０の使用温度とを決定する。
使用する湯は、湯沸かし器や電気ポット等の所定の温度の湯や、ガスコンロ等によって沸騰させた１００℃の湯を用いることができる。
保温具１０の使用温度は、使用者の好みによって決定することができ、昇温用容器４に設けられた表示５を目安に、湯量を加減することで、適宜温度に保温具１０を昇温することができる。
【００２５】
この場合、図３に示すように、昇温用容器４に先に保温具１０を収容した状態で湯を入れるようにしても、また、湯を入れた後に保温具１０を収容するようにしてもよい。
そして、保温具１０の使用温度を４５℃としたい場合には、図３（ｂ）に示すように、保温具１０を収容した昇温用容器４に、例えば、１００℃の湯Ｗを、表示５Ａの使用温度４５度を示す上側の短い表示（図３（ｂ）に示すＰの箇所）を目安に注ぐようにする。
【００２６】
そして、所定時間（通常は、数分程度）経過後、昇温用容器４から保温具１０を取り出し、取り出した保温具１０を専用の収納袋（図示省略）やタオル等によって覆って使用する。
【００２７】
この保温具キット１によれば、保温具１０を昇温させるために必要な熱量分に相当する量の湯に保温具１０を浸漬させ、所定時間の経過を待つだけで、保温具１０は所望の使用温度まで昇温され、昇温された後に昇温用容器４から保温具１０を取り出して使用することができる。
この際、保温具１０は、急激に加熱されることなく、徐々に昇温するため、袋体２が破裂して内部の蓄熱材３が飛散することがなく、安全に使用することができる。
また、保温具１０を昇温させるために必要な熱量分に相当する量の湯に保温具１０を浸漬させることにより、保温具１０の昇温温度を的確に把握することができ、保温具の安全性を向上することができる。
【００２８】
図４に、本発明の保温具の実施例を示す。
この保温具１１は、袋体２に蓄熱材３を充填した可撓性を有する保温具であって、蓄熱材３に感温性発色剤６を含有させるようにしている。
袋体２は、上記実施例１と同様に、ポリ塩化ビニル等の合成樹脂製のものを使用するが、昇温過程において、感温性発色剤６の発色を目視することができるように無色透明のものを使用することが望ましい。
【００２９】
また、感温性発色剤６は、特定の温度になると特定の色を発する（特定の温度になると特定の色が消失する）ものである限りにおいて特に限定されるものではないが、特に、低い温度から温度が上昇して特定の温度になると特定の色が消失し、逆に、高い温度から温度が降下して特定の温度になると特定の色を発する可逆性の示温インクを好適に用いることができる。
このとき、感温性発色剤６に、異なる温度で異なる色に発色する２種類以上の感温性発色剤６を併せて用いることができる。
【００３０】
そして、可逆性の示温インクとして、例えば、温度が３７℃未満で青色を発し、３７℃以上で色が消失する示温インク６Ａと、温度が４２℃未満で黄色を発し、４２℃以上で色が消失する示温インク６Ｂと、温度にかかわらず常に赤色を発するインク６Ｃとを蓄熱材３に含有させて使用するようにすると、すべてのインク６Ａ、６Ｂ、６Ｃが色を発する３０℃未満で黒色、示温インク６Ａの青色が消失する３７〜４２℃で橙色、さらに、示温インク６Ｂの黄色が消失する４２℃以上で赤色となるようにすることができる。
なお、上記色の組み合わせは、特にこれに限定されず、示温インクを適宜組み合わせることにより、色及び当該色が出現する温度を任意に設定することができる。
【００３１】
この保温具１１によれば、蓄熱材３に含有させた感温性発色剤６、６Ａ、６Ｂ、６Ｃの発色によって、保温具１１に充填した蓄熱材３自体の温度を容易に目視で確認することができ、保温具１１の昇温温度を的確に把握することができ、保温具の安全性を向上することができる。
【００３２】
保温具１１の昇温方法は、上記実施例１と同様に、昇温用容器４の湯に浸漬することによって行うことができるほか、昇温温度を目視で確認しながら、電子レンジによって加熱して使用することもできる。
【００３３】
以上、本発明の保温具キットについて、複数の実施例に基づいて説明したが、本発明は上記実施例に記載した構成に限定されるものではなく、その趣旨を逸脱しない範囲において適宜その構成を変更することができるものである。
【産業上の利用可能性】
【００３４】
本発明の保温具キットは、保温具を安全に使用することができるとともに、保温具の昇温温度を的確に把握することができることから、家庭用の保温具キットの用途に好適に用いることができる。
また、適用対象も、家庭用の保温具の用途のほか、宿泊施設における客室サービスの用途、病院で使用するホットパックの用途等、広く一般の保温具の用途に用いることができる。
【符号の説明】
【００３５】
１    保温具キット
１０  保温具
１１  保温具
２    袋体
３    蓄熱材
４    昇温用容器
５    表示
５Ａ  表示
５Ｂ  表示
５Ｃ  表示
６    感温性発色剤
６Ａ  示温インク
６Ｂ  示温インク
６Ｃ  示温インク
Ｗ    湯
【図１】
0005518493.tif 000002
【図２】
0005518493.tif 000003
【図３】
0005518493.tif 000004
【図４】
0005518493.tif 000005